(57)【要約】【課題】  プレキャストコンクリート梁部材間の接合部分に現場打ちコンクリートを打設する際の施工性向上を図る。【解決手段】  接合部補強筋１５、下端筋１７が端面から張り出したプレキャストコンクリート梁部材１Ａと、接合部補強筋１６、下端筋１７が梁断面から張り出したプレキャストコンクリート梁部材１Ｂとを備えた接合部構造において、接合部補強筋１５と接合部補強筋１６とがあき重ね継手を形成し、下端筋１７と下端筋１７とがあき重ね継手を形成し、あき重ね継手で梁接合部の鉄筋接合が構築される。梁接合部のコンクリートは現場打ちコンクリートからなり、その一部が梁接合部と一体形成される床スラブとが同一強度で、かつプレキャストコンクリート梁部材１Ａ、１Ｂのコンクリート強度より低強度であることを特徴とする。【選択図】  図１
2020063634.tif 000002
【特許請求の範囲】
【請求項１】
第一の接合部補強筋及び第一の下端筋が端面から張り出した第一のプレキャストコンクリート梁部材と、
梁長手方向に第二の接合部補強筋及び第二の下端筋が梁断面から張り出した第二のプレキャストコンクリート梁部材と、
を備え、
前記第一の接合部補強筋と前記第二の接合部補強筋とが第一のあき重ね継手を形成し、前記第一の下端筋と前記第二の下端筋とが第二のあき重ね継手を形成し、前記第一のあき重ね継手と前記第二のあき重ね継手とで梁接合部が構築され、前記梁接合部と、その一部が該梁接合部と一体形成される床スラブとが同一強度であり、かつ、前記第一及び第二のプレキャストコンクリート梁部材のコンクリート強度より低強度の現場打ちコンクリートからなることを特徴とするプレキャストコンクリート梁部材の接合構造。
【請求項２】
前記第一の接合部補強筋及び前記第二の接合部補強筋は、斜め補強筋であることを特徴とする請求項１に記載のプレキャストコンクリート梁部材の接合構造。
【請求項３】
前記下端筋は、先端がフック形状をなすことを特徴とする請求項１または２に記載のプレキャストコンクリート梁部材の接合構造。
【請求項４】
前記梁接合部は、梁スパン中央付近に配置されたことを特徴とする請求項１から３のいずれか１項に記載のプレキャストコンクリート梁部材の接合構造。
【請求項５】
前記梁接合部は、梁スパン端部付近に配置されたことを特徴とする請求項１から３のいずれか１項に記載のプレキャストコンクリート梁部材の接合構造。
【請求項６】
前記第一のプレキャストコンクリート梁部材及び前記第二のプレキャストコンクリート梁部材は、ハーフプレキャストコンクリート部材であることを特徴とする請求項１から５のいずれか１項に記載のプレキャストコンクリート梁部材の接合構造。
【請求項７】
第一の接合部補強筋及び第一の下端筋が端面から張り出した第一のプレキャストコンクリート梁部材と、梁長手方向に第二の接合部補強筋及び第二の下端筋が梁断面から張り出した第二のプレキャストコンクリート梁部材とを、前記第一の接合部補強筋と前記第二の接合部補強筋とが第一のあき重ね継手を形成し、前記第一の下端筋と前記第二の下端筋とが第二のあき重ね継手を形成するように、前記第一のプレキャストコンクリート梁部材と前記第二のプレキャストコンクリート梁部材とを配置して梁接合部を構築し、
前記梁接合部と、その一部が該梁接合部と一体形成される床スラブとに、同一強度であり、かつ、前記第一及び第二のプレキャストコンクリート梁部材のコンクリート強度より低強度のコンクリートを打設することを特徴とするプレキャストコンクリート梁部材の接合方法。
【発明の詳細な説明】
【技術分野】
【０００１】
本発明は、プレキャストコンクリート梁部材を用いた建築物の構築におけるプレキャストコンクリート部材の梁間の接合構造および接合方法に係り、特に、プレキャストコンクリート梁部材間の接合部分に現場打ちコンクリートを打設するプレキャストコンクリート梁部材の接合構造および接合方法に関する。
【背景技術】
【０００２】
鉄筋コンクリート構造物において、施工の合理化や工期の短縮などのために、あらかじめ工場製作された種々のプレキャストコンクリート部材（以下プレキャスト部材と記す。）が多く使用されている。このとき、梁をプレキャスト部材で構成する場合には、梁スパンの中央又は端部等を分割位置としたプレキャスト部材同士を接合する梁接合部を設ける場合がある。この分割位置で梁の主筋を接合するためには、溶接作業或いは機械式継手作業のために、梁接合部に６００〜８００ｍｍ程度の現場コンクリート打設部分が設けられるのが一般的である。このため、梁接合部では、溶接作業や機械式継手作業において位置合わせ等に施工手間がかかり、作業効率が良いとは言えない。
【０００３】
これらの問題に対応するために、特許文献１では、梁接合部を拡径定着部が設けられた鉄筋を使用するあき重ね継手で構成することにより、梁接合部の作業手間を減らしたプレキャスト部材の梁構造が開示されている。
【先行技術文献】
【特許文献】
【０００４】
【特許文献１】特開２００１−１１９４０号公報
【発明の概要】
【発明が解決しようとする課題】
【０００５】
しかしながら、特許文献１に記載の接合方法では、梁接合部と床スラブとでのコンクリートの必要強度の違いにより、梁接合部及び該梁接合部と一体的に配筋される床スラブの現場コンクリート打設は別工程で行われる。従って、特許文献１に記載のプレキャスト部材の梁構造を採用しても工期の短縮や省人化が十分であるとは言えない。
【０００６】
そこで、本発明の目的は、工期の短縮や省人化に資する、プレキャスト梁部材の接合構造及び接合方法を提供することにある。
【課題を解決するための手段】
【０００７】
上記目的を達成するために、本発明は、第一の接合部補強筋及び第一の下端筋が端面から張り出した第一のプレキャストコンクリート梁部材と、梁長手方向に第二の接合部補強筋及び第二の下端筋が梁断面から張り出した第二のプレキャストコンクリート梁部材と、を備え、前記第一の接合部補強筋と前記第二の接合部補強筋とが第一のあき重ね継手を形成し、前記第一の下端筋と前記第二の下端筋とが第二のあき重ね継手を形成し、前記第一のあき重ね継手と前記第二のあき重ね継手とで梁接合部が構築され、前記梁接合部と、その一部が該梁接合部と一体形成される床スラブとが同一強度であり、かつ、前記第一及び第二のプレキャストコンクリート梁部材のコンクリート強度より低強度の現場打ちコンクリートからなることを特徴とする。
【０００８】
前記第一の接合部補強筋及び前記第二の接合部補強筋は、斜め補強筋であることが好ましい。
【０００９】
前記下端筋は、先端がフック形状をなすことが好ましい。
【００１０】
前記梁接合部は、梁スパン中央付近に配置されたことが好ましい。
【００１１】
前記梁接合部は、梁スパン端部付近に配置されたことが好ましい。
【００１２】
前記第一のプレキャストコンクリート梁部材及び前記第二のプレキャストコンクリート梁部材は、ハーフプレキャストコンクリート部材であることが好ましい。
【００１３】
接合方法として、本発明は、第一の接合部補強筋及び第一の下端筋が端面から張り出した第一のプレキャストコンクリート梁部材と、梁長手方向に第二の接合部補強筋及び第二の下端筋が梁断面から張り出した第二のプレキャストコンクリート梁部材とを、前記第一の接合部補強筋と前記第二の接合部補強筋とが第一のあき重ね継手を形成し、前記第一の下端筋と前記第二の下端筋とが第二のあき重ね継手を形成するように、前記第一のプレキャストコンクリート梁部材と前記第二のプレキャストコンクリート梁部材とを配置して梁接合部を構築し、前記梁接合部と、その一部が該梁接合部と一体形成される床スラブとに、同一強度であり、かつ、前記第一及び第二のプレキャストコンクリート梁部材のコンクリート強度より低強度のコンクリートを打設することを特徴とする。
【発明の効果】
【００１４】
本発明によれば、工期の短縮や省人化に資することができる。
【図面の簡単な説明】
【００１５】
【図１】（ａ）は、本発明の第一実施形態に係るプレキャスト梁部材の接合構造の正面断面図、（ｂ）は、（ａ）のＩｂ−Ｉｂ断面線で示した側面断面図、（ｃ）は、（ａ）のＩｃ−Ｉｃ断面線で示した側面断面図。
【図２】（ａ）は、本発明の第一実施形態に係る端部用のプレキャスト梁部材の正面断面図、（ｂ）は、本発明の第一及び第二実施形態に係るプレキャスト梁部材の正面断面図、（ｃ）は、（ａ）、（ｂ）及び（ｅ）のＩＩｃ−ＩＩｃ断面線で示した側面断面図、（ｄ）は、（ａ）及び（ｂ）のＩＩｄ−ＩＩｄ断面線で示した側面断面図、（ｅ）は、本発明の第二実施形態に係るプレキャスト梁部材の正面断面図。
【図３】本発明の第一及び第二実施形態に係るプレキャスト梁部材で構成された梁構造を部分的に示した概略梁伏せ図。
【図４】（ａ）は、本発明の第一実施形態に係るプレキャスト梁部材の接合方法の一方の梁部材の配置時の正面断面図、（ｂ）は、他方の梁部材の配置時の正面断面図。
【図５】（ｃ）は、スターラップ筋及び上端筋配置時の正面断面図、（ｄ）は、本発明の第一実施形態に係るプレキャスト梁部材の接合方法の現場コンクリート打設後の正面断面図。
【図６】（ａ）は、本発明の第二実施形態に係るプレキャスト梁部材の接合方法の梁部材の配置時の正面断面図、（ｂ）は、スターラップ筋及び上端筋配置時の正面断面図、（ｃ）は、現場コンクリート打設後の正面断面図。
【図７】本発明の他の実施形態に係るプレキャスト梁部材で構成された梁構造を部分的に示した概略梁伏せ図。
【図８】（ａ）から（ｄ）は、本発明の他の実施形態に係るプレキャスト梁部材の正面断面図。
【発明を実施するための形態】
【００１６】
本発明のプレキャスト梁部材の接合構造及び接合方法について、以下、添付図面を参照して説明する。なお、同一の構成要素は、同一の符号を付し、説明は省略する。
【００１７】
［第一実施形態］
図１各図及び図２（ａ）〜（ｄ）に示す、本発明の第一実施形態としてのプレキャストコンクリート梁部材１（以下、梁部材１とする。）は、梁断面の上部に一体として設けられる床スラブの厚みに相当する部分を現場打ちコンクリートとするハーフプレキャスト部材である。このハーフプレキャスト部材の接合構造Ｊ１は、図３に示すように、梁端接合部１０を梁長手方向の一端に有する梁部材１Ａと、梁端接合部１０を梁長手方向の両端に有する梁部材１Ｂ（又は梁部材１Ｂと、梁部材１Ｂ）とが接合された構造からなる。接合構造Ｊ１は、図１各図に示すように、梁端接合部１０，１０間の梁接合部に配筋されたスターラップ筋１１及び上端筋１２のかぶり厚を確保して、床スラブコンクリートの打設と同時に、床スラブコンクリートと同一強度であり、かつ、梁部材１Ａ，１Ｂ（又は梁部材１Ｂ，１Ｂ）のコンクリート強度より低強度の現場打ちコンクリート１３を打設することにより、一体的に形成される。これらの梁端接合部１０，１０の形状は、一例として図３及び図４各図に示したように、梁部材１Ａ，１Ｂが連続して柱部材Ｐ１，Ｐ２間に架設され、梁スパンの中央位置で接合されることを想定している。
【００１８】
＜接合部の構造１＞
以下、梁部材１Ａ及び梁部材１Ｂの構成等について図２各図を参照して説明する。梁部材１Ａ及び梁部材１Ｂは、プレキャストコンクリート部材製造工場において、必要なかぶり厚を確保して組み立てられた鉄筋組立体が配置された型枠内にコンクリート１８が打設されて製造され、梁端部に梁端接合部１０が設けられている。
【００１９】
（梁部材１Ａの構成）
図２（ａ）、図３及び図４各図に示すように、梁部材１Ａは、梁長手方向の一端に梁端接合部１０を有し、他端は柱部材Ｐ１の端面と面一である。梁部材１Ａは、隅部の柱部材Ｐ１上に設置される。梁端接合部１０の一端の梁断面の端面１４から、斜め補強筋１５、１６及び下端筋（下側主筋）１７が、梁長手方向に向けて張り出すように配筋されている。
【００２０】
図２（ａ）、（ｃ）に示すように、斜め補強筋１５は、本実施形態では、梁長手方向に水平に梁上部に２本配筋され、梁断面の端面１４から約４５°斜め下方に向けて張り出している。斜め補強筋１５の張り出し長は、斜め補強筋１５の径ｄ１の３０倍の長さが確保されている。
【００２１】
斜め補強筋１６は、梁長手方向に水平に下端筋１７近くの梁下部に２本配筋され、梁断面の端面１４から約４５°斜め上方に向けて張り出している。斜め補強筋１６の張り出し長は、斜め補強筋１６の径ｄ２の３０倍の長さが確保されている。
【００２２】
下端筋１７は、梁下辺に沿って５本配筋され、梁断面の端面１４から梁長手方向に向けて水平に張り出し、先端が上方に向けて略垂直方向に曲げられて、フック形状をなしている。下端筋１７の張り出し長は、下端筋１７の張り出し部分全体で下端筋１７の径ｄ３の４０倍の長さが確保されている。
【００２３】
梁部材１Ａの梁長手方向の他端側には、柱部材Ｐ１と同じ断面の柱型部分２５が形成されている。柱型部分２５には、柱部材Ｐ１の柱主筋２３を挿通させるための柱主筋貫通孔２２が形成されている。
【００２４】
（梁部材１Ｂの構成）
図２（ｂ）、図３及び図４各図に示すように、梁部材１Ｂは、梁長手方向の両端に梁端接合部１０を有している。梁部材１Ｂは、中間柱である柱部材Ｐ２上に設置される。梁端接合部１０の両端の梁断面の端面１４から、斜め補強筋１５，１６及び下端筋（下側主筋）１７が、梁長手方向に向けて張り出すように配筋されている。
【００２５】
梁部材１Ｂの中間には、柱部材Ｐ２と同じ断面の柱型部分２５が形成されている。柱型部分２５には、柱部材Ｐ２の柱主筋２３を挿通させるための柱主筋貫通孔２２が形成されている。
【００２６】
（その他の構成）
図１（ａ）、（ｂ）に示すように、スターラップ筋１１は、斜め補強筋１５，１６、下端筋１７を取り囲むように配筋される。上端筋１２は、現場にて所定の長さに加工され、スターラップ筋１１，２１の上端内側に配筋される。
【００２７】
＜接合構造の構成１＞
プレキャストコンクリート梁部材（ハーフプレキャスト梁部材）の接合構造Ｊ１について、図１各図を参照して説明する。ハーフプレキャスト梁部材の接合構造Ｊ１は、梁部材１Ａの梁端接合部１０と梁部材１Ｂの梁端接合部１０とを所定の間隔Ｄ１を空けて対向させて構成されている。梁部材１Ａ、１Ｂ間において、梁部材１Ａの斜め補強筋１５と梁部材１Ｂの斜め補強筋１６とがあき重ね継手を形成してせん断力を伝達する部材として機能する。また、梁部材１Ａの斜め補強筋１６と梁部材１Ｂの斜め補強筋１５とがあき重ね継手を形成してせん断力を伝達する部材として機能する。また、梁部材１Ａの下端筋１７と梁部材１Ｂの下端筋１７とがあき重ね継手を形成して柱部材Ｐ，Ｐ間の梁の下端筋として機能する。なお、それぞれのあき重ね継手部分では、あき寸法Ｓは、０．２ＬＥかつ１５０ｍｍ以下であり、あき重ね継手長さＬＥ＝３０×鉄筋径である。梁部材１Ａ，１Ｂの梁断面の端面１４，１４間には、床スラブ４０と一体であり、床スラブコンクリートと同一強度であり、かつ、梁部材１Ａ，１Ｂのコンクリート強度より低強度である現場打ちコンクリート１３が打設されている。なお、あき重ね継手を形成する鉄筋は、図１（ｂ）に記号○、×でその位置を示すように、梁部材の吊り下ろし時に干渉しないように、位置をずらして配筋されている。
【００２８】
通常、ハーフプレキャストコンクリート工事では、梁接合部の現場打ちコンクリートは、床スラブコンクリートよりも必要強度が大きいため、同時に一体的に打設することはできない。しかし、本実施形態では、梁部材１Ａの斜め補強筋１５と梁部材１Ｂの斜め補強筋１６とからなる接合部補強筋及び梁部材１Ａの斜め補強筋１６と梁部材１Ｂの斜め補強筋１５とからなる接合部補強筋が梁接合部でせん断力の一部を伝達するので、梁部材１Ａ，１Ｂの設計梁断面の端面１４，１４間の現場打ちコンクリート１３の必要強度を梁部材１Ａ、１Ｂ直上の床スラブ４０の床スラブコンクリートと同一強度であり、かつ、梁部材１Ａ，１Ｂのコンクリート強度より低強度とすることができる。従って、梁部材１Ａ，１Ｂの設計梁断面の端面１４，１４間と梁部材１Ａ，１Ｂ直上の床スラブ４０の一部とに同時に、一体的に現場打ちコンクリート１３を打設することができるので、工期の短縮や省人化に資することができる。また、下端筋１７の先端部が、上方向に折り曲げたフック形状とされているので、梁部材１Ａ，１Ｂの設計梁断面の端面１４，１４間の所定の間隔Ｄ１を短くでき、現場打ちコンクリート１３の打設量を少なくできる。
【００２９】
＜プレキャスト梁部材の接合方法１＞
次に、梁部材１Ａと梁部材１Ｂとの接合方法について、図４〜図５各図等を参照して説明する。図４（ａ）に示すように、所定階のスラブ平面上の所定位置に立設された柱部材Ｐ１に梁部材１Ａを載置し接合する。梁部材１Ａを接合位置に向けてほぼ垂直に吊り下ろして、柱部材Ｐ１の柱主筋２３を梁部材１Ａの柱主筋貫通孔２２に貫通させ、柱部材Ｐ１の躯体天端２４に載置し接合する。このとき、図４（ｂ）に示すように、梁部材１Ａをパイプサポート５０で支持させる。
【００３０】
続いて、柱部材Ｐ２に梁部材１Ｂを載置し接合する。このとき、梁部材１Ａの斜め補強筋１５と梁部材１Ｂの斜め補強筋１６と及び梁部材１Ａの斜め補強筋１６と梁部材１Ｂの斜め補強筋１５とがあき重ね継手を形成し、梁部材１Ａの下端筋１７と梁部材１Ｂの下端筋１７とがあき重ね継手を形成するように、梁端接合部１０，１０を対向させて、梁接合位置に吊り下ろして、柱部材Ｐ２の柱主筋２３を梁部材１Ｂの柱主筋貫通孔２２に貫通させ、梁部材１Ｂを柱部材Ｐ２の躯体天端２４に載置して接合させる。
【００３１】
現場打ちコンクリート１３の打設作業に先立ち、図５（ｃ）に示すように、現場にて、上端筋１２を配筋し、梁部材１Ａ，１Ｂ間にスターラップ筋１１を配筋する。併せて、床スラブの配筋も行う。その後、設計コンクリート断面を完成させるために、図５（ｄ）に示すように、梁部材１Ａ，１Ｂ間及び梁部材１Ａ，１Ｂ上部及び床スラブ部分に同時に、床スラブコンクリートと同一強度であり、かつ、梁部材１Ａ，１Ｂのコンクリート強度より低強度の現場打ちコンクリート１３を打設し、ハーフプレキャスト部材の接合構造Ｊ１が形成される。
【００３２】
［第二実施形態］
第一実施形態では、梁長手方向の継手を形成する接合構造Ｊ１について説明したが、第二実施形態では、図３に示すように、梁部材１Ａ，１Ａと平面視で交差する方向に梁部材２を配置し、接合構造Ｊ２と平面視で交差する方向に接合構造Ｊ２を形成する。なお、第一実施形態と同一の構成要素は、同一の符号を付し、説明は省略する。
【００３３】
ハーフプレキャスト部材の接合構造Ｊ２は、図６（ｃ）に示すように、それぞれ梁側面に梁端接合部３０を有する梁部材１Ａ，１Ａが配置された柱部材Ｐ１，Ｐ３間に梁端接合部１０を有する梁部材２を配置することにより形成された構造からなる。接合構造Ｊ２は、梁端接合部３０，１０間の梁接合部に配筋されたスターラップ筋１１及び上端筋１２のかぶり厚を確保して床スラブの現場打ちコンクリートの打設と同時に梁接合部の現場打ちコンクリート１３を打設することにより、一体的に形成される。これらの梁端接合部３０，１０の形状は、一例として図３及び図６各図に示したように、梁部材１Ａ，１Ａが互いに平行して柱部材Ｐ１，Ｐ３上に架設され、梁部材２の梁スパンの端部付近で接合されることを想定している。
【００３４】
＜接合部の構造２＞
以下、梁部材１Ａ及び梁部材２の構成について図２各図及び図３を参照して説明する。梁部材２は、プレキャストコンクリート部材製造工場において、必要なかぶり厚を確保して組み立てられた鉄筋組立体が配置された型枠内にコンクリート１８が打設されて製造されたものである。梁端接合部１０は、梁部材２の梁長手方向の両端面に設けられている。
【００３５】
（梁部材１Ａの構成）
梁部材１Ａは、第一実施形態で説明した構成に加えて、図２（ａ）及び（ｄ）に示すように、梁部材１Ａの柱型部分２５の側面（端面）３１を備えている。側面３１から、側方斜め補強筋３２，３３と側方下端筋（側方下側主筋）１７とが、梁幅方向に向けて張り出すように配筋され、梁端接合部３０を形成している。
【００３６】
側方斜め補強筋３２は、本実施形態では、梁幅方向に水平に梁上部に２本配筋され、側面３１から約４５°斜め下方に向けて張り出している。側方斜め補強筋３２の張り出し長は、側方斜め補強筋３２の径ｄ４の３０倍の長さが確保されている。
【００３７】
側方斜め補強筋３３は、梁幅方向に水平に、側方下端筋１７近くの梁下部に２本配筋され、側面３１から約４５°斜め上方に向けて張り出している。側方斜め補強筋３３の張り出し長は、側方斜め補強筋３３の径ｄ５の３０倍の長さが確保されている。
【００３８】
側方下端筋１７は、梁下辺に沿って５本配筋され、側面３１から梁幅方向に向けて水平に張り出し、先端が上方に向けて略垂直方向に曲げられて、フック形状をなしている。側方下端筋１７の張り出し長は、張り出し部分全体で側方下端筋１７の径ｄ６の４０倍の長さが確保されている。
【００３９】
（梁部材２の構成）
梁部材２は、図２（ｃ）、（ｅ）に示すように、矩形断面からなる梁断面の端面（矩形梁断面）１４から、斜め補強筋１５，１６と下端筋１７とが、梁長手方向に向けて張り出し、梁端接合部１０を形成している。柱主筋貫通孔２２及び柱型部分２５が無い事を除いて、梁部材２は、梁部材１Ｂと同じ構成である。
【００４０】
＜接合構造の構成２＞
プレキャストコンクリート梁部材（ハーフプレキャスト梁部材）の接合構造Ｊ２について、図６各図を参照して説明する。ハーフプレキャスト梁部材の接合構造Ｊ２は、梁部材１Ａの梁端接合部３０と梁部材２の梁端接合部１０とを所定の間隔Ｄ２を空けて対向させて構成されている。梁部材１Ａ、２間では、梁部材１Ａの側方斜め補強筋３３と梁部材２の斜め補強筋１６とがあき重ね継手を形成してせん断力を伝達する部材として機能する。また、梁部材１Ａの側方斜め補強筋３２と梁部材２の斜め補強筋１５とがあき重ね継手を形成してせん断力を伝達する部材として機能する。また、梁部材１Ａの側方下端筋１７と梁部材２の下端筋１７とがあき重ね継手を形成して柱部材Ｐ１，Ｐ３間の梁の１本の下端筋として機能する。梁部材１Ａ，２の設計梁断面の端面３０，１０間及び梁上端には、床スラブと一体であり、床スラブと同一強度であり、かつ、梁部材１Ａ，２のコンクリート強度より低強度の現場打ちコンクリート１３が打設されている。
【００４１】
本実施形態では、側方斜め補強筋３２と斜め補強筋１６、側方斜め補強筋３３と斜め補強筋１５、とからなる接合部補強筋がせん断力を伝達するため、梁部材１Ａ，２の梁端接合部３０，１０間の現場打ちコンクリート１３の必要強度を梁部材１Ａ，２直上の床スラブコンクリートと同一強度であり、かつ、梁部材１Ａ，２のコンクリート強度より低強度とすることができる。従って、梁部材１Ａ，２の梁端接合部３０，１０間の梁接合部及び梁接合部と床スラブの一部とを同時に、一体的にコンクリート打設することができるので、工期の短縮や省人化に資することができる。また、下端筋１７及び側方下端筋１７の先端部が、上方向に折り曲げたフック形状とされているので、梁部材１Ａ，２の梁接合部間の所定の間隔Ｄ２を短くでき、現場打ちコンクリート１３の打設量を少なくできる。
【００４２】
＜プレキャスト梁部材の接合方法２＞
次に、梁部材１Ａと梁部材２との接合方法について、図６各図等を参照して説明する。図６（ａ）に示すように、所定階のスラブ平面上の所定位置に立設された柱部材Ｐ１，Ｐ３にそれぞれ梁部材１Ａを平面視で梁長手方向が互いに平行になるように、柱部材Ｐ１，Ｐ３の柱主筋２３を梁部材１Ａ，１Ａの柱主筋貫通孔２２に貫通させ、柱部材Ｐ１，Ｐ３の躯体天端２４に載置し接合する。このとき、図６（ｂ）に示すように、梁部材２をパイプサポート５０で支持する。
【００４３】
現場打ちコンクリート１３の打設作業に先立ち、上端筋１２、スターラップ筋１１、図示しない床スラブの配筋を行う。その後、図６（ｃ）に示すように、梁部材１Ａ、２の梁端接合部３０，１０間（所定の間隔Ｄ２、梁接合部）及び梁部材１Ａ、２の上部兼床スラブ部分に同時に床スラブコンクリートと同一強度であり、かつ、梁部材１Ａ，２のコンクリート強度より低強度の現場打ちコンクリート１３を打設し、ハーフプレキャスト部材の接合構造Ｊ２が形成される。
【００４４】
［変形例］
上述の実施形態では、梁部材は、平面視で直線状のプレキャストコンクリート本体を有していたが、図７に示すように、平面視で略十字状の梁部材３であっても良いし、略Ｔ字状の梁部材４であっても良く、略Ｌ字状の梁部材５や略キ字状の梁部材６であっても良い。或いは、平面視で直線状であっても、複数（２つ）の柱スパンにまたがった１つの梁部材７であっても良い。現場や搬入経路の状況、梁部材が配置される位置等に応じて、梁部材の平面形状は変更可能である。これにより、梁部材の数を減らすことができるので、梁部材の吊り込み作業の回数を減らすことができ、また、梁接合部の数を減らすことができる。従って、工期の短縮や省人化ができる。
【００４５】
また、上述の実施形態では、梁部材は、側面視で、端部に向けて斜め上方を向いた斜め補強筋と斜め下方を向いた斜め補強筋とが１本ずつ張り出していたが、必要せん断強度や鉄筋の配置状況、所定の間隔の長さなどに合わせて、側面視で、端部に向けて斜め下方を向いた斜め補強筋１５Ａ，１５Ｂと斜め上方を向いた斜め補強筋１５Ａ，１５Ｂとが張り出した梁部材Ａ（図８（ａ））であっても良いし、斜め上方が１本（斜め補強筋１５）で斜め下方が２本（斜め補強筋１６Ａ，１６Ｂ）とする梁部材Ｂ（図８（ｂ））、或いは、斜め補強筋が斜め上方１本だけであったり、斜め下方１本だけである梁部材Ｃ（図８（ｃ））等、斜め補強筋の本数や組み合わせは自由である。また、梁幅方向の鉄筋の本数も、上述の実施形態で示した本数に限らない。鉄筋を折り曲げる角度も、上述の実施形態で示した角度に限らず、例えば、図８（ｄ）に示すように、水平面に対して３０°に折り曲げた斜め補強筋１５Ｃ，１６Ｃを有する梁部材Ｄであっても良い。
【００４６】
あき寸法Ｓ、あき重ね継手長さＬＥは、上述の実施形態の数値に限らない。鉄筋強度やコンクリート強度等に応じて、適宜変更することができる。また、下端筋、斜め補強筋及び側方斜め補強筋等の鉄筋本数や鉄筋強度、梁幅や梁成等は、柱スパン、設計床荷重等に応じて、適宜決定する。
【００４７】
上述の実施形態では、平面視で、梁スパン中央付近又は端部端部付近に梁接合部が設けられていたが、梁接合部の位置は、これらに限らない。プラン上の制約や応力分布等に応じて、梁接合部の平面視での位置を変更することができる。
【００４８】
また、張り出した鉄筋の先端に、ジベルやナット等を取り付けることにより、せん断強度を向上させても良い。
【００４９】
上述の実施形態では、ハーフプレキャストコンクリート梁部材を使用していたが、フルプレキャストコンクリート梁部材を使用しても良い。梁接合部及び梁接合部と一体的に配筋された床スラブの一部に同時に、一体的に床スラブコンクリートと同一強度であり、かつ、プレキャストコンクリート梁部材のコンクリート強度より低強度のコンクリートを打設可能であれば良い。
【００５０】
なお、本発明は、上述した実施形態に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００５１】
１，１Ａ，１Ｂ，２，３，４，５，６，７，８，Ａ，Ｂ，Ｃ，Ｄ      （プレキャストコンクリート）梁部材
１０，３０      梁端接合部
１１      スターラップ筋
１２      上端筋
１３      現場打ちコンクリート
１４      端面
１５，１６      斜め補強筋
１７      下端筋、側方下端筋
１８      コンクリート
２１      スターラップ筋
２２      柱主筋貫通孔
２３      柱主筋
２４      躯体天端
２５      柱型部分
３１      側面
３２，３３      側方斜め補強筋
Ｊ１，Ｊ２      接合構造
Ｐ１，Ｐ２，Ｐ３，Ｐ４      柱部材
【図１】
2020063634.tif 000003
【図２】
2020063634.tif 000004
【図３】
2020063634.tif 000005
【図４】
2020063634.tif 000006
【図５】
2020063634.tif 000007
【図６】
2020063634.tif 000008
【図７】
2020063634.tif 000009
【図８】
2020063634.tif 000010